(57)【要約】【課題】積載効率を上げることができ、物流の全体としての輸送効率の向上が図れる梱包装置を提供すること。【解決手段】包装用天カバー１５と包装用固定台１２を上下方向に締結する包装タテバンド１８と、包装支柱２０と筐体１の縦四側面と横積み支柱２２とを締結する包装ヨコバンド１９とを有し、前記横積み支柱２２は略円筒形状で、前記包装支柱２０の断面積より大きく、側面長手方向にバンド締結溝を有することを特徴とする梱包装置で、ヒートポンプユニットなどを上面に載せるセット積載が可能となりため、積載効率が上がり、物流の全体としての輸送効率の向上が図れる。【選択図】図１
2012006610.tif 000002
【特許請求の範囲】
【請求項１】
一側面に張り出し部を有した縦型略直方体の筐体と、この筐体の上面を覆う包装用天カバーと、前記筐体の底板に取り付けた包装用固定台と、この包装用固定台の上で前記筐体の縦四側面の稜に配した略円筒状の包装支柱と、前記張り出し部と隣接する側面を一体的に覆う側面保護カバーと、前記包装支柱のそれぞれの空間を支える横積み支柱とを備え、前記包装用天カバーと前記包装用固定台を上下方向に締結する包装タテバンドと、前記包装支柱と前記筐体の縦四側面と前記横積み支柱とを締結する包装ヨコバンドとを有し、前記横積み支柱は略円筒形状で、前記包装支柱の断面積より大きく、側面長手方向にバンド締結溝を有することを特徴とする梱包装置。
【請求項２】
前記横積み支柱が前記筐体と接触する面を、平面化する構成としたことを特徴とする請求項１に記載の梱包装置。
【請求項３】
前記包装用固定台の前記包装支柱がセットされる位置に、凹状嵌合部を設けたことを特徴とする請求項１または２に記載の梱包装置。
【請求項４】
前記包装用天カバー内部に前記横積み支柱を設け、前記横積み支柱は前記包装用天カバ−と一体的に成形する構成としたことを特徴とする請求項１〜３のいずれか１項に記載の梱包装置。
【請求項５】
前記側面保護カバーに手掛け穴と切り込みとを設け、前記切り込みは前記横積み支柱と嵌め合う形状で、前記手掛け穴より前記横積み支柱に手が掛けられる構成としたことを特徴とする請求項１〜４のいずれか１項に記載の梱包装置。
【発明の詳細な説明】
【技術分野】
【０００１】
本発明は、給湯機等における貯湯タンクユニットの梱包装置に関するものである。
【背景技術】
【０００２】
従来のこの種の梱包装置の構成図を図５に示す。
【０００３】
図５において、製品１の張り出し部１０と包装用固定台１２の間に、張り出し部１０を保護するベース保護１６と、ベース保護１６を配設した製品１側面と隣り合わせの左右両側面を含む３面以上を一体的に保護する側面保護カバー１７を設けるとともに、側面保護カバー１７には梱包作業時に包装用固定台１２から脱落しないよう包装用固定台１２と係合する係合片１７Ａを設けている。これによって、製品搬送時と製品落下時の損傷が防止され、また梱包と開梱作業の合理化とが図られると共に、材料をダンボール化することで、材料の回収リサイクルを可能にしている（例えば、特許文献１参照）。
【先行技術文献】
【特許文献】
【０００４】
【特許文献１】特開２００４−５１１５３号公報
【発明の概要】
【発明が解決しようとする課題】
【０００５】
しかしながら、従来の貯湯式給湯機は、縦型で背が高いため、運搬車両では荷台に横積みして搬送することが多いが、横積みした貯湯式給湯機の上面に他の貨物を載せて運搬することは梱包内部が変形するとして禁止しているため、荷台の空きスペ−スが少なくなって積載効率が悪いという課題を有していた。
【０００６】
本発明は、前記従来の課題を解決するもので、積載効率を上げることができ、物流の全体としての輸送効率の向上が図れる梱包装置を提供することを目的とする。
【課題を解決するための手段】
【０００７】
前記従来の課題を解決するために、本発明の梱包装置は、一側面に張り出し部を有した縦型略直方体の筐体と、この筐体の上面を覆う包装用天カバーと、前記筐体の底板に取り付けた包装用固定台と、この包装用固定台の上で前記筐体の縦四側面の稜に配した略円筒状の包装支柱と、前記張り出し部と隣接する側面を一体的に覆う側面保護カバーと、前記包装支柱のそれぞれの空間を支える横積み支柱とを備え、前記包装用天カバーと前記包装用固定台を上下方向に締結する包装タテバンドと、前記包装支柱と前記筐体の縦四側面と前記横積み支柱とを締結する包装ヨコバンドとを有し、前記横積み支柱は略円筒形状で、前記包装支柱の断面積より大きく、側面長手方向にバンド締結溝を有することを特徴とするものである。
【０００８】
これにより、横積み時の上面に貨物を載せて衝撃を与えた時、応力は包装支柱の側面から腰折れする方向にかかるが、横積み支柱が支えとなって変形を防止、そして筐体にかかる応力は緩衝され、実際の物流の現場で起こりうる負荷では変形の不具合は発生しなくなる。従って、貯湯式給湯機とこれに関する他の部材や貨物、貯湯式給湯機の加熱手段であるヒートポンプユニットなどを上面に載せて横積みによるセット積載をすれば積載効率を上げることができ、物流の全体としての輸送効率の向上が図れる。
【０００９】
また、側面保護カバーや後面保護カバーに確認用穴を設けるなどして、各物流拠点での
荷受時に目視あるいは触手によって筐体の異常有無が確認できるようにすれば、少なくともユーザ−に問題のある製品を届けるようなことをなくすことができる。
【発明の効果】
【００１０】
本発明によれば、積載効率を上げることができ、物流の全体としての輸送効率の向上が図れる梱包装置を提供できる。
【図面の簡単な説明】
【００１１】
【図１】本発明の実施の形態１における貯湯式給湯機の梱包の構成図
【図２】同貯湯式給湯機の梱包の断面図
【図３】同貯湯式給湯機の梱包の外観図
【図４】同包装用天カバーを下から見た断面図
【図５】従来の貯湯式給湯機の梱包の構成図
【発明を実施するための形態】
【００１２】
第１の発明は、側面に張り出し部を有した縦型略直方体の筐体と、この筐体の上面を覆う包装用天カバーと、前記筐体の底板に取り付けた包装用固定台と、この包装用固定台の上で前記筐体の縦四側面の稜に配した略円筒状の包装支柱と、前記張り出し部と隣接する側面を一体的に覆う側面保護カバーと、前記包装支柱のそれぞれの空間を支える横積み支柱とを備え、前記包装用天カバーと前記包装用固定台を上下方向に締結する包装タテバンドと、前記包装支柱と前記筐体の縦四側面と前記横積み支柱とを締結する包装ヨコバンドとを有し、前記横積み支柱は略円筒形状で、前記包装支柱の断面積より大きく、側面長手方向にバンド締結溝を有することを特徴とする梱包装置である。
【００１３】
そして、横積み時の上面に貨物を載せて衝撃を与えた時、応力は包装支柱の側面から腰折れする方向にかかるが、横積み支柱が支えとなって変形を防止、そして筐体にかかる応力は緩衝され、実際の物流の現場で起こりうる負荷では変形の不具合は発生しなくなる。
【００１４】
従って、貯湯式給湯機とこれに関する他の部材や貨物、貯湯式給湯機の加熱手段であるヒートポンプユニットなどを上面に載せて横積みによるセット積載をすれば積載効率を上げることができ、物流の全体としての輸送効率の向上が図れる。
【００１５】
第２の発明は、前記横積み支柱が前記筐体と接触する面を、平面化したもので、この平面部を大きくすることで梱包側面の壁への衝突などの衝撃を緩衝することができる。
【００１６】
第３の発明は、前記包装用固定台の前記包装支柱がセットさえる位置に、凹状嵌合部を設けたもので、横積み時の上面で包装用固定台から外れた位置に貨物を載せて衝撃を与えた時、包装支柱が凹状嵌合部で固定され、側面から筐体に直接応力がかからないようになり筐体の変形不具合が防止できる。
【００１７】
第４の発明は、前記包装用天カバー内部に前記横積み支柱を設け、前記横積み支柱は前記包装用天カバ−と一体的に成形するもので、転倒事故など包装用天カバー近傍が何かに衝突した際においても筐体に直接応力がかからないようになり、筐体の変形が低減され内部の機能的な部品が故障することを防止できる。
【００１８】
第５の発明は、前記側面保護カバーに手掛け穴と切り込みとを設け、前記切り込みは前記横積み支柱と嵌め合う形状とし、前記手掛け穴より前記横積み支柱に手が掛けられる構成としたもので、直立した貯湯式給湯機を持ち上げることができるようになっているだけでなく、梱包作業において包装ヨコバンド締結時に横積み支柱を所定位置に保持することができ、作業性が良好となる。
【００１９】
以下、本発明の実施の形態について、図面を参照しながら説明する。なお、この実施の形態によって本発明が限定されるものではない。
【００２０】
（実施の形態１）
図１は、本実施の形態における貯湯式給湯機の梱包の構成図であり、横積みされた状態を表している。図２は、本実施の形態における貯湯式給湯機の梱包の断面図である。
【００２１】
図１において、貯湯式給湯機の筐体１は底板２に有する脚４により包装用固定台１２に締結固定されている。２０は略円筒状でかぎ括弧『状の断面形状をなした包装支柱であり、包装用固定台１２の４つのコ−ナ−に有する凹状嵌合部１２−１にセットするとともに張り出し部１０を含む縦四側面６の縦陵部に配して筐体１を保護する緩衝材として設けており、包装支柱２０の下端部が筐体１側へズレないよう配慮設計されている。１６はベース保護であり包装支柱２０と張り出し部１０に密着し配管接続スペ−ス３近傍が変形することがないようにしている。
【００２２】
筐体の上面１−１を覆う包装用天カバー１５は包装支柱２０によって支えられ上方の圧縮荷重から筐体１を保護している。１７は側面保護カバーであり張り出し部１０と隣接する側面を一体的に覆うことで、筐体１の傷つきなどを防止している。１８は包装タテバンド、１９は包装ヨコバンドであり、上下方向と側方向の双方より締結する梱包の構成としている。
【００２３】
２２は横積み支柱であり、断面は略円筒形状で側面長手方向に包装ヨコバンド１９を通し筐体に沿って固定できるようバンド締結溝２２−１を有した構造としている。断面は包装支柱２０の断面積より大きくして包装ヨコバンド１９による締結後に外れないようにするとともに、筐体１に接する側は広く平面化し梱包側面から受ける衝撃、例えば壁に衝突するなどの事故による衝撃など緩衝し不具合の発生を防止できる構造となっている。
【００２４】
２３はヒ−トポンプユニットであり、貯湯式給湯機の加熱手段として接続して使用するものであり、常に同時配送されている。また、貯湯式給湯機は縦型で背が高いため、運搬車両では荷台に横積みして搬送することが多く、荷台スペ−スの有効利用と積載効率向上のために、図のようにヒートポンプユニット２３を上方より載せて運搬する場合がある。
【００２５】
横積み支柱２２および包装ヨコバンド１９は、張り出し部１０の下部近傍に配しており、ヒートポンプユニット２３を載せ、勢いよく作業して衝撃を与えた時、応力は包装支柱２０の側面から筐体１を圧縮する方向にかかるが、横積み支柱２２および包装用固定台１２の凹状嵌合部１２−１が支えとなって変形を防止することができる。
【００２６】
図２において、側面保護カバー１７に手掛け穴１７−１と切り込み１７−２を有し、切り込み１７−２は横積み支柱２２と嵌め合う形状をなし、直下の手掛け穴１７−１より手を入れると横積み支柱２２に手が掛けられるように構成しており、包装ヨコバンド１９と横積み支柱２２は締結され貯湯式給湯機の筐体１の周囲を抱え込むようになっているため、人手による運搬においては荷扱い性に優れている。さらに梱包作業においては包装ヨコバンド１９締結時に横積み支柱２２を所定位置に保持することができ、作業性が良好となる。
【００２７】
図３は、本実施の形態における貯湯式給湯機の梱包の外観図である。図４は包装用天カバー１５を下から見た断面図である。
【００２８】
包装用天カバー１５内部に横積み支柱１５−１を構成するため、材料である段ボ−ルを
複数回折込み固定し、包装支柱２０の表面とダンボ−ル折込み部端面が突きあうように構成されており、側壁２４に貯湯式給湯機が転倒して衝突し図の矢印の応力が発生した場合でも、包装支柱２０の応力は横積み支柱１５−１に支えられて緩衝され、筐体１にかかる応力は大幅に軽減され、外観で多少の変形があったとしても内部の機能的な部品が故障することはなくなる。
【００２９】
さらに材料に段ボ−ルを使用できることから、材料の回収リサイクル性にも優れ、緩衝性能を両立させた梱包形態が実現できることになる。
【産業上の利用可能性】
【００３０】
以上のように、本発明は貯湯式給湯機に限らず、直方体形状の重量物、たとえば冷蔵庫等の梱包においても適用できる。
【符号の説明】
【００３１】
１  筐体
１２  包装用固定台
１５  包装用天カバー
１７  側面保護カバー
１８  包装タテバンド
１９  包装ヨコバンド
２０  包装支柱
２２  横積み支柱
【図１】
2012006610.tif 000003
【図２】
2012006610.tif 000004
【図３】
2012006610.tif 000005
【図４】
2012006610.tif 000006
【図５】
2012006610.tif 000007